(57)【要約】【課題】複数の寺院において空き納骨室を速やかに検索することができ、空き納骨室の存在を直ちに知ることができる納骨室検索システムを提供する。【解決手段】納骨室検索システム１０は、各地に存立する各種宗派の複数の寺院の立体納骨構造物における各納骨室を管理する管理サーバ１１と、不特定多数のユーザーが保有するスマートフォン１２（ユーザー端末）とから形成されている。管理サーバ１１は、納骨されている納骨済み納骨室をそれら寺院毎およびそれら立体納骨構造物毎に管理するとともに、納骨されていない空き納骨室をそれら寺院毎およびそれら立体納骨構造物毎に管理する納骨室管理手段を有する。スマートフォン１２は、所定の寺院の所定の立体納骨構造物における空き納骨室を検索する空き納骨室検索手段を有する。【選択図】図１
2019191996.tif 000002
【特許請求の範囲】
【請求項１】
各地に存立する各種宗派の複数の寺院または複数の墓所あるいは複数の霊園に設置され、上下方向と横方向とのうちの少なくとも上下方向へ並ぶ複数の納骨室を備えた複数の立体納骨構造物を利用した納骨室検索システムにおいて、
前記納骨室検索システムが、納骨されている納骨済み納骨室をそれら寺院毎またはそれら墓所毎あるいはそれら霊園毎およびそれら立体納骨構造物毎に管理するとともに、納骨されていない空き納骨室をそれら寺院毎またはそれら墓所毎あるいはそれら霊園毎およびそれら立体納骨構造物毎に管理する納骨室管理手段と、所定の寺院または所定の墓所あるいは所定の霊園の所定の立体納骨構造物における空き納骨室を検索する空き納骨室検索手段とを有することを特徴とする納骨室検索システム。
【請求項２】
前記納骨室検索システムが、それら寺院またはそれら墓所あるいはそれら霊園のそれら立体納骨構造物における各納骨室を管理する管理サーバと、不特定多数のユーザーが保有するユーザー端末とから形成され、前記管理サーバが、納骨されている納骨済み納骨室をそれら寺院毎またはそれら墓所毎あるいはそれら霊園毎およびそれら立体納骨構造物毎に管理するとともに、納骨されていない空き納骨室をそれら寺院毎またはそれら墓所毎あるいはそれら霊園毎およびそれら立体納骨構造物毎に管理する前記納骨室管理手段を有し、前記ユーザー端末が、所定の寺院または所定の墓所あるいは所定の霊園の所定の立体納骨構造物における空き納骨室を検索する前記空き納骨室検索手段を有する請求項１に記載の納骨室検索システム。
【請求項３】
前記納骨室管理手段が、前記空き納骨室を、該空き納骨室を特定する納骨室識別子、該空き納骨室が存する立体納骨構造物を特定する立体納骨構造物識別子、該空き納骨室が存する立体納骨構造物を設置した寺院または墓所あるいは霊園を特定する墓地識別子に関連付けた状態で記憶し、前記空き納骨室検索手段が、前記空き納骨室が存する立体納骨構造物を設置した寺院または墓所あるいは霊園を検索可能であり、検索した寺院または墓所あるいは霊園の前記空き納骨室が存する立体納骨構造物を検索可能であるとともに、検索した寺院または墓所あるいは霊園の検索した立体納骨構造物における空き納骨室を検索可能である請求項１または請求項２に記載の納骨室検索システム。
【請求項４】
前記納骨室管理手段が、前記立体納骨構造物を設置した複数の寺院または墓所あるいは霊園の名称と住所とのうちの少なくとも一方とそれら寺院またはそれら墓所あるいはそれら霊園の宗派とを前記墓地識別子に関連付けた状態で記憶し、前記空き納骨室検索手段が、前記空き納骨室が存する寺院または墓所あるいは霊園の前記名称と前記住所とのうちの少なくとも一方とその寺院またはその墓所あるいはその霊園の宗派とを検索可能である請求項３に記載の納骨室検索システム。
【請求項５】
前記空き納骨室検索手段では、前記寺院または前記墓所あるいは前記霊園の名称と住所とのうちの少なくとも一方を指定することで、指定した名称の寺院または墓所あるいは霊園、指定した住所の寺院または墓所あるいは霊園に前記空き納骨室が存するか否かを検索可能であり、指定した名称の寺院または墓所あるいは霊園、指定した住所の寺院または墓所あるいは霊園に空き納骨室が存する場合、その空き納骨室が存する寺院または墓所あるいは霊園の立体納骨構造物における空き納骨室を検索可能である請求項４に記載の納骨室検索システム。
【請求項６】
前記空き納骨室検索手段では、所定の宗派を指定することで、指定した宗派の寺院または墓所あるいは霊園に前記空き納骨室が存するか否かを検索可能であり、指定した宗派の寺院または墓所あるいは霊園に空き納骨室が存する場合、その空き納骨室が存する寺院または墓所あるいは霊園の立体納骨構造物における空き納骨室を検索可能である請求項４または請求項５に記載の納骨室検索システム。
【請求項７】
前記納骨室管理手段が、前記空き納骨室の購入金額を前記納骨室識別子、前記立体納骨構造物識別子、前記墓地識別子に関連付けた状態で記憶し、前記空き納骨室検索手段が、前記購入金額を指定することで、指定した購入金額で購入可能な前記空き納骨室が存するか否かを検索可能であり、指定した購入金額で購入可能な前記空き納骨室が存する場合、その空き納骨室が存する寺院または墓所あるいは霊園の立体納骨構造物における空き納骨室を検索可能である請求項４ないし請求項６いずれかに記載の納骨室検索システム。
【請求項８】
前記納骨室管理手段が、それら寺院またはそれら墓所あるいはそれら霊園が存立する地区の沿線情報を前記墓地識別子に関連付けた状態で記憶し、前記空き納骨室検索手段が、希望する沿線を指定することで、指定した沿線に前記空き納骨室が存する寺院または墓所あるいは霊園があるか否かを検索可能であり、指定した沿線に前記空き納骨室が存する寺院または墓所あるいは霊園がある場合、その寺院またはその墓所あるいはその霊園の立体納骨構造物における空き納骨室を検索可能である請求項４ないし請求項７いずれかに記載の納骨室検索システム。
【請求項９】
前記ユーザー端末が、前記ユーザーが所定の寺院または墓所あるいは霊園の所定の立体納骨構造物における納骨済み納骨室から他所の空き納骨室への移転を希望する場合、納骨室移転希望情報を前記管理サーバに送信する納骨室移転希望情報送信手段を含み、前記管理サーバが、前記ユーザー端末から前記納骨室移転希望情報を受信した場合、前記ユーザー端末に所定の寺院または墓所あるいは霊園の所定の立体納骨構造物における移転可能な空き納骨室の移転可能空き納骨室情報を送信する移転可能空き納骨室情報送信手段を含む請求項２ないし請求項８いずれかに記載の納骨室検索システム。
【請求項１０】
前記納骨室移動希望情報には、移転先の希望住所が含まれ、前記移転可能空き納骨室情報送信手段では、移転先の希望住所に空き納骨室が存する場合、前記希望住所の寺院または墓所あるいは霊園の立体納骨構造物における移転可能な空き納骨室の移転可能空き納骨室情報を前記ユーザー端末に送信する請求項９に記載の納骨室検索システム。
【請求項１１】
前記納骨室移動希望情報には、移転先の希望宗派が含まれ、前記移転可能空き納骨室情報送信手段では、移転先の希望宗派の寺院または墓所あるいは霊園に空き納骨室が存する場合、前記希望宗派の寺院または墓所あるいは霊園の立体納骨構造物における移転可能な空き納骨室の移転可能空き納骨室情報を前記ユーザー端末に送信する請求項９または請求項１０に記載の納骨室検索システム。
【請求項１２】
前記納骨室移動希望情報には、移転先の寺院または墓所あるいは霊園の希望沿線が含まれ、前記移転可能空き納骨室情報送信手段では、前記希望沿線の寺院または墓所あるいは霊園に空き納骨室が存する場合、前記希望沿線の寺院または墓所あるいは霊園の立体納骨構造物における移転可能な空き納骨室の移転可能空き納骨室情報を前記ユーザー端末に送信する請求項９ないし請求項１１いずれかに記載の納骨室検索システム。
【発明の詳細な説明】
【技術分野】
【０００１】
本発明は、複数の納骨室を備えた複数の立体納骨構造物を利用した納骨室検索システムに関する。
【背景技術】
【０００２】
少なくとも２以上の互いに仕切られた納骨室を内部に有し、設置面に設置されて納骨室の上部を開閉する蓋部を有する基礎部と、それら納骨室毎であって基礎部に設置された竿石部とを備え、納骨室の水平面への正投影像と、納骨室に対応する竿石部の水平面への正投影像とが互いに重なる部分を有する集合墓施設が開示されている（特許文献１参照）。
【先行技術文献】
【特許文献】
【０００３】
【特許文献１】特開２０１７−９５９１２号公報
【発明の概要】
【発明が解決しようとする課題】
【０００４】
前記特許文献１に開示の集合墓施設は、複数の納骨室を有し、それら納骨室に納骨することで集合型のお墓を構築することができる。しかし、集合墓施設の納骨室を利用するユーザーがそれら納骨室のうちの納骨されていない空き納骨室を検索することはできず、集合墓施設に空き納骨室が存したとしても、その空き納骨室の存在を知ることができない。なお、転勤や新居の購入によって引っ越しをすることでお墓の管理ができないから、引っ越し先の近くにお墓をすぐに移転したい場合、親や兄弟、配偶者の遺骨を抱え、すぐにお墓を所有して納骨をしたい場合、家の近くでお墓を持ちたいが、空きがない場合、気に入った寺院にお墓を持ちたいが、宗派によってそれができない場合等、通常の墓地（寺院または墓所あるいは霊園）ではそれらの要求に直ちに応じることができず、適宜かつ適所にお墓を持つことができない。
【０００５】
本発明の目的は、複数の寺院または複数の墓所あるいは複数の霊園における空き納骨室を速やかに検索することができ、空き納骨室の存在を直ちに知ることができる納骨室検索システムを提供することにある。本発明の他の目的は、お墓の移転先を速やかに見つけることができ、お墓を迅速に移転することができるとともに、親や兄弟、配偶者の遺骨を速やかに納骨することができる納骨室検索システムを提供することにある。本発明の他の目的は、家の近くのお墓を速やかに見つけることができ、家の近くにお墓を持つことができるとともに、各種宗派に制限されることなく、適宜かつ適所にお墓を持つことができる納骨室検索システムを提供することにある。
【課題を解決するための手段】
【０００６】
前記課題を解決するための本発明の前提は、各地に存立する各種宗派の複数の寺院または複数の墓所あるいは複数の霊園に設置され、上下方向と横方向とのうちの少なくとも上下方向へ並ぶ複数の納骨室を備えた複数の立体納骨構造物を利用した納骨室検索システムである。
【０００７】
前記前提における本発明の特徴としては、納骨室検索システムが、納骨されている納骨済み納骨室をそれら寺院毎またはそれら墓所毎あるいはそれら霊園毎およびそれら立体納骨構造物毎に管理するとともに、納骨されていない空き納骨室をそれら寺院毎またはそれら墓所毎あるいはそれら霊園毎およびそれら立体納骨構造物毎に管理する納骨室管理手段と、所定の寺院または所定の墓所あるいは所定の霊園の所定の立体納骨構造物における空き納骨室を検索する空き納骨室検索手段とを有することにある。
【０００８】
本発明の一例としては、納骨室検索システムが、それら寺院またはそれら墓所あるいはそれら霊園のそれら立体納骨構造物における各納骨室を管理する管理サーバと、不特定多数のユーザーが保有するユーザー端末とから形成され、管理サーバが、納骨されている納骨済み納骨室をそれら寺院毎またはそれら墓所毎あるいはそれら霊園毎およびそれら立体納骨構造物毎に管理するとともに、納骨されていない空き納骨室をそれら寺院毎またはそれら墓所毎あるいはそれら霊園毎およびそれら立体納骨構造物毎に管理する納骨室管理手段を有し、ユーザー端末が、所定の寺院または所定の墓所あるいは所定の霊園の所定の立体納骨構造物における空き納骨室を検索する空き納骨室検索手段を有する。
【０００９】
本発明の他の一例としては、納骨室管理手段が、空き納骨室を、空き納骨室を特定する納骨室識別子、空き納骨室が存する立体納骨構造物を特定する立体納骨構造物識別子、空き納骨室が存する立体納骨構造物を設置した寺院または墓所あるいは霊園を特定する墓地識別子に関連付けた状態で記憶し、空き納骨室検索手段が、空き納骨室が存する立体納骨構造物を設置した寺院または墓所あるいは霊園を検索可能であり、検索した寺院または墓所あるいは霊園の空き納骨室が存する立体納骨構造物を検索可能であるとともに、検索した寺院または墓所あるいは霊園の検索した立体納骨構造物における空き納骨室を検索可能である。
【００１０】
本発明の他の一例としては、納骨室管理手段が、立体納骨構造物を設置した複数の寺院または墓所あるいは霊園の名称と住所とのうちの少なくとも一方とそれら寺院またはそれら墓所あるいはそれら霊園の宗派とを墓地識別子に関連付けた状態で記憶し、空き納骨室検索手段が、空き納骨室が存する寺院または墓所あるいは霊園の名称と住所とのうちの少なくとも一方とその寺院またはその墓所あるいはその霊園の宗派とを検索可能である。
【００１１】
本発明の他の一例として、空き納骨室検索手段では、寺院または墓所あるいは霊園の名称と住所とのうちの少なくとも一方を指定することで、指定した名称の寺院または墓所あるいは霊園、指定した住所の寺院または墓所あるいは霊園に空き納骨室が存するか否かを検索可能であり、指定した名称の寺院または墓所あるいは霊園、指定した住所の寺院または墓所あるいは霊園に空き納骨室が存する場合、その空き納骨室が存する寺院または墓所あるいは霊園の立体納骨構造物における空き納骨室を検索可能である。
【００１２】
本発明の他の一例として、空き納骨室検索手段では、所定の宗派を指定することで、指定した宗派の寺院または墓所あるいは霊園に空き納骨室が存するか否かを検索可能であり、指定した宗派の寺院または墓所あるいは霊園に空き納骨室が存する場合、その空き納骨室が存する寺院または墓所あるいは霊園の立体納骨構造物における空き納骨室を検索可能である。
【００１３】
本発明の他の一例としては、納骨室管理手段が、空き納骨室の購入金額を納骨室識別子、立体納骨構造物識別子、墓地識別子に関連付けた状態で記憶し、空き納骨室検索手段が、購入金額を指定することで、指定した購入金額で購入可能な空き納骨室が存するか否かを検索可能であり、指定した購入金額で購入可能な空き納骨室が存する場合、その空き納骨室が存する寺院または墓所あるいは霊園の立体納骨構造物における空き納骨室を検索可能である。
【００１４】
本発明の他の一例としては、納骨室管理手段が、それら寺院またはそれら墓所あるいはそれら霊園が存立する地区の沿線情報を墓地識別子に関連付けた状態で記憶し、空き納骨室検索手段が、希望する沿線を指定することで、指定した沿線に空き納骨室が存する寺院または墓所あるいは霊園があるか否かを検索可能であり、指定した沿線に空き納骨室が存する寺院または墓所あるいは霊園がある場合、その寺院またはその墓所あるいはその霊園の立体納骨構造物における空き納骨室を検索可能である。
【００１５】
本発明の他の一例としては、ユーザー端末が、ユーザーが所定の寺院または墓所あるいは霊園の所定の立体納骨構造物における納骨済み納骨室から他所の空き納骨室への移転を希望する場合、納骨室移転希望情報を管理サーバに送信する納骨室移転希望情報送信手段を含み、管理サーバが、ユーザー端末から納骨室移転希望情報を受信した場合、ユーザー端末に所定の寺院または墓所あるいは霊園の所定の立体納骨構造物における移転可能な空き納骨室の移転可能空き納骨室情報を送信する移転可能空き納骨室情報送信手段を含む。
【００１６】
本発明の他の一例として、納骨室移動希望情報には、移転先の希望住所が含まれ、移転可能空き納骨室情報送信手段では、移転先の希望住所に空き納骨室が存する場合、希望住所の寺院または墓所あるいは霊園の立体納骨構造物における移転可能な空き納骨室の移転可能空き納骨室情報をユーザー端末に送信する。
【００１７】
本発明の他の一例として、納骨室移動希望情報には、移転先の希望宗派が含まれ、移転可能空き納骨室情報送信手段では、移転先の希望宗派の寺院または墓所あるいは霊園に空き納骨室が存する場合、希望宗派の寺院または墓所あるいは霊園の立体納骨構造物における移転可能な空き納骨室の移転可能空き納骨室情報をユーザー端末に送信する。
【００１８】
本発明の他の一例として、納骨室移動希望情報には、移転先の寺院または墓所あるいは霊園の希望沿線が含まれ、移転可能空き納骨室情報送信手段では、希望沿線の寺院または墓所あるいは霊園に空き納骨室が存する場合、希望沿線の寺院または墓所あるいは霊園の立体納骨構造物における移転可能な空き納骨室の移転可能空き納骨室情報をユーザー端末に送信する。
【発明の効果】
【００１９】
本発明にかかる納骨室検索システムによれば、納骨されている納骨済み納骨室をそれら寺院毎またはそれら墓所毎あるいはそれら霊園毎およびそれら立体納骨構造物毎に管理するとともに、納骨されていない空き納骨室をそれら寺院毎またはそれら墓所毎あるいはそれら霊園毎およびそれら立体納骨構造物毎に管理する納骨室管理手段と、所定の寺院または所定の墓所あるいは所定の霊園の所定の立体納骨構造物における空き納骨室を検索する空き納骨室検索手段とを有するから、管理されている複数の寺院または複数の墓所あるいは複数の霊園における空き納骨室を速やかに検索することができ、空き納骨室の存在を直ちに知ることができる。納骨室検索システムは、所定の寺院または所定の墓所あるいは所定の霊園の所定の立体納骨構造物における空き納骨室を検索することで、お墓の移転先を速やかに見つけることができ、お墓を迅速に移転することができるとともに、親や兄弟、配偶者の遺骨を速やかに納骨することができる。納骨室検索システムは、空き納骨室検索手段によって家の近くのお墓を速やかに見つけることができ、家の近くにお墓を持つことができるとともに、各種宗派に制限されることなく、適宜かつ適所にお墓を持つことができる。
【００２０】
それら寺院またはそれら墓所あるいはそれら霊園のそれら立体納骨構造物における各納骨室を管理する管理サーバと、不特定多数のユーザーが保有するユーザー端末とから形成され、管理サーバが納骨されている納骨済み納骨室をそれら寺院毎またはそれら墓所毎あるいはそれら霊園毎およびそれら立体納骨構造物毎に管理するとともに、納骨されていない空き納骨室をそれら寺院毎またはそれら墓所毎あるいはそれら霊園毎およびそれら立体納骨構造物毎に管理する納骨室管理手段を有し、ユーザー端末が所定の寺院または所定の墓所あるいは所定の霊園の所定の立体納骨構造物における空き納骨室を検索する空き納骨室検索手段を有する納骨室検索システムは、ユーザー端末が管理サーバにアクセスしつつユーザー端末によって空き納骨室を検索することで、管理サーバにおいて管理されている複数の寺院または複数の墓所あるいは複数の霊園における空き納骨室をユーザーが速やかに検索することができ、ユーザーが空き納骨室の存在を直ちに知ることができる。納骨室検索システムは、ユーザー端末によって所定の寺院または所定の墓所あるいは所定の霊園の所定の立体納骨構造物における空き納骨室を検索することで、お墓の移転先を速やかに見つけることができ、お墓を迅速に移転することができるとともに、親や兄弟、配偶者の遺骨を速やかに納骨することができる。納骨室検索システムは、ユーザー端末の空き納骨室検索手段によって家の近くのお墓を速やかに見つけることができ、家の近くにお墓を持つことができるとともに、各種宗派に制限されることなく、適宜かつ適所にお墓を持つことができる。
【００２１】
納骨室管理手段が空き納骨室を、空き納骨室を特定する納骨室識別子、空き納骨室が存する立体納骨構造物を特定する立体納骨構造物識別子、空き納骨室が存する立体納骨構造物を設置した寺院または墓所あるいは霊園を特定する墓地識別子に関連付けた状態で記憶し、空き納骨室検索手段が、空き納骨室が存する立体納骨構造物を設置した寺院または墓所あるいは霊園を検索可能であり、検索した寺院または墓所あるいは霊園の空き納骨室が存する立体納骨構造物を検索可能であるとともに、検索した寺院または墓所あるいは霊園の検索した立体納骨構造物における空き納骨室を検索可能である納骨室検索システムは、ユーザー端末が管理サーバにアクセスしつつユーザー端末によって空き納骨室を検索することで、空き納骨室が存する立体納骨構造物を設置した寺院または墓所あるいは霊園を検索することができ、その寺院またはその墓所あるいはその霊園の空き納骨室が存する立体納骨構造物を検索することができるとともに、その寺院またはその墓所あるいはその霊園の検索した立体納骨構造物における空き納骨室を検索することができる。納骨室検索システムは、所定の寺院または所定の墓所あるいは所定の霊園の所定の立体納骨構造物における空き納骨室を検索することができるから、お墓の移転先を速やかに見つけることができ、親や兄弟、配偶者の遺骨を速やかに納骨することができるとともに、各種宗派に制限されることなく、適宜かつ適所にお墓を持つことができる。
【００２２】
納骨室管理手段が、立体納骨構造物を設置した複数の寺院または墓所あるいは霊園の名称と住所とのうちの少なくとも一方とそれら寺院またはそれら墓所あるいはそれら霊園の宗派とを墓地識別子に関連付けた状態で記憶し、空き納骨室検索手段が、空き納骨室が存する寺院または墓所あるいは霊園の名称と住所とのうちの少なくとも一方とその寺院またはその墓所あるいはその霊園の宗派とを検索可能である納骨室検索システムは、空き納骨室が存する寺院または墓所あるいは霊園の名称や住所、その寺院またはその墓所あるいはその霊園の宗派を知ることができ、その後にその寺院またはその墓所あるいはその霊園の詳しい内容をその寺院またはその墓所あるいはその霊園のホームページによって調べることで、その寺院またはその墓所あるいはその霊園の納骨室に納骨するか否かを決めることができる。
【００２３】
空き納骨室検索手段において、寺院または墓所あるいは霊園の名称と住所とのうちの少なくとも一方を指定することで、指定した名称の寺院または墓所あるいは霊園、指定した住所の寺院または墓所あるいは霊園に空き納骨室が存するか否かを検索可能であり、指定した名称の寺院または墓所あるいは霊園、指定した住所の寺院または墓所あるいは霊園に空き納骨室が存する場合、その空き納骨室が存する寺院または墓所あるいは霊園の立体納骨構造物における空き納骨室を検索可能である納骨室検索システムは、たとえば、ユーザー端末に寺院または墓所あるいは霊園の名称と住所とのうちの少なくとも一方を入力（指定）することで、入力（指定）した名称や住所の寺院または墓所あるいは霊園に空き納骨室が存するか否かを知ることができ、空き納骨室が存する場合にその寺院またはその墓所あるいはその霊園の立体納骨構造物における空き納骨室の場所を知ることができるとともに、その後にその寺院またはその墓所あるいはその霊園の詳しい内容をその寺院またはその墓所あるいはその霊園のホームページによって調べることで、その寺院またはその墓所あるいはその霊園の納骨室に納骨するか否かを決めることができる。
【００２４】
空き納骨室検索手段において、所定の宗派を指定することで、指定した宗派の寺院または墓所あるいは霊園に空き納骨室が存するか否かを検索可能であり、指定した宗派の寺院または墓所あるいは霊園に空き納骨室が存する場合、その空き納骨室が存する寺院または墓所あるいは霊園の立体納骨構造物における空き納骨室を検索可能である納骨室検索システムは、たとえば、ユーザー端末に所定の宗派を入力（指定）することで、入力（指定）した宗派の寺院または墓所あるいは霊園に空き納骨室が存するか否かを知ることができ、空き納骨室が存する場合にその宗派の寺院または墓所あるいは霊園の立体納骨構造物における空き納骨室の場所を知ることができるとともに、その後にその宗派の寺院または墓所あるいは霊園の詳しい内容をその寺院またはその墓所あるいはその霊園のホームページによって調べることで、その宗派の寺院または墓所あるいは霊園の納骨室に納骨するか否かを決めることができる。
【００２５】
納骨室管理手段が、空き納骨室の購入金額を納骨室識別子、立体納骨構造物識別子、墓地識別子に関連付けた状態で記憶し、空き納骨室検索手段が、購入金額を指定することで、指定した購入金額で購入可能な空き納骨室が存するか否かを検索可能であり、指定した購入金額で購入可能な空き納骨室が存する場合、その空き納骨室が存する寺院または墓所あるいは霊園の立体納骨構造物における空き納骨室を検索可能である納骨室検索システムは、たとえば、ユーザー端末に空き納骨室の購入金額を入力（指定）することで、入力（指定）した購入金額で購入可能な空き納骨室が存するか否かを知ることができ、その購入金額で購入可能な空き納骨室が存する場合に所定の寺院または所定の墓所あるいは所定の霊園の立体納骨構造物における空き納骨室の場所を知ることができるとともに、その後にその寺院またはその墓所あるいはその霊園の詳しい内容をその寺院またはその墓所あるいはその霊園のホームページによって調べることで、その寺院またはその墓所あるいはその霊園の納骨室に納骨するか否かを決めることができる。
【００２６】
納骨室管理手段が、それら寺院またはそれら墓所あるいはそれら霊園が存立する地区の沿線情報を墓地識別子に関連付けた状態で記憶し、空き納骨室検索手段が、希望する沿線を指定することで、指定した沿線に空き納骨室が存する寺院または墓所あるいは霊園があるか否かを検索可能であり、指定した沿線に空き納骨室が存する寺院または墓所あるいは霊園がある場合、その寺院またはその墓所あるいはその霊園の立体納骨構造物における空き納骨室を検索可能である納骨室検索システムは、たとえば、ユーザー端末に沿線を入力（指定）することで、入力（指定）した沿線に空き納骨室が存する寺院または墓所あるいは霊園があるか否かを知ることができ、空き納骨室が存する場合にその沿線の寺院または墓所あるいは霊園の立体納骨構造物における空き納骨室の場所を知ることができるとともに、その後にその沿線の寺院または墓所あるいは霊園の詳しい内容をその寺院またはその墓所あるいはその霊園のホームページによって調べることで、その寺院またはその墓所あるいはその霊園の納骨室に納骨するか否かを決めることができる。
【００２７】
ユーザーが所定の寺院または墓所あるいは霊園の所定の立体納骨構造物における納骨済み納骨室から他所の空き納骨室への移転を希望する場合、ユーザー端末が納骨室移転希望情報を管理サーバに送信する納骨室移転希望情報送信手段を含み、管理サーバがユーザー端末から納骨室移転希望情報を受信した場合、ユーザー端末に所定の寺院または墓所あるいは霊園の所定の立体納骨構造物における移転可能な空き納骨室の移転可能空き納骨室情報を送信する移転可能空き納骨室情報送信手段を含む納骨室検索システムは、既に立体納骨構造物の納骨室に納骨しているユーザーが所定の原因（転勤や新居の購入によって引っ越しをする場合、気に入った寺院または墓所あるいは霊園にお墓を写したい場合、宗派を換えたい場合等）によって他所の空き納骨室への移転を希望する場合、ユーザー端末が納骨室移転希望情報を管理サーバに送信し、管理サーバが所定の寺院または所定の墓所あるいは所定の霊園の所定の立体納骨構造物における移転可能な空き納骨室の移転可能空き納骨室情報をユーザー端末に送信するから、移転希望のユーザーは移転可能空き納骨室情報を見ることで、ユーザーが移転可能な空き納骨室の存在を直ちに知ることができる。納骨室検索システムは、ユーザー端末によって所定の寺院または所定の墓所あるいは所定の霊園の所定の立体納骨構造物における移転可能な空き納骨室を知ることができるから、納骨室の移転先を速やかに見つけることができ、納骨室を迅速に移転することができる。
【００２８】
移転先の希望住所が納骨室移動希望情報に含まれ、移転可能空き納骨室情報送信手段において、移転先の希望住所に空き納骨室が存する場合、希望住所の寺院または墓所あるいは霊園の立体納骨構造物における移転可能な空き納骨室の移転可能空き納骨室情報をユーザー端末に送信する納骨室検索システムは、たとえば、移転希望のユーザーがユーザー端末に移転先の希望住所を入力することで、指定した希望住所における所定の寺院または所定の墓所あるいは所定の霊園の移転可能な空き納骨室の存在を直ちに知ることができ、納骨室の移転先を速やかに見つけることができるとともに、納骨室を迅速に移転することができる。
【００２９】
移転先の希望宗派が納骨室移動希望情報に含まれ、移転可能空き納骨室情報送信手段において、移転先の希望宗派の寺院または墓所あるいは霊園に空き納骨室が存する場合、希望宗派の寺院または墓所あるいは霊園の立体納骨構造物における移転可能な空き納骨室の移転可能空き納骨室情報をユーザー端末に送信する納骨室検索システムは、たとえば、移転希望のユーザーがユーザー端末に移転先の希望宗派を入力することで、指定した希望宗派の寺院または墓所あるいは霊園における移転可能な空き納骨室の存在を直ちに知ることができ、納骨室の移転先を速やかに見つけることができるとともに、納骨室を迅速に移転することができる。
【００３０】
移転先の寺院または墓所あるいは霊園の希望沿線が納骨室移動希望情報に含まれ、移転可能空き納骨室情報送信手段において、希望沿線の寺院または墓所あるいは霊園に空き納骨室が存する場合、希望沿線の寺院または墓所あるいは霊園の立体納骨構造物における移転可能な空き納骨室の移転可能空き納骨室情報をユーザー端末に送信する納骨室検索システムは、たとえば、移転希望のユーザーがユーザー端末に移転先の沿線を入力することで、指定した沿線の存立する寺院または墓所あるいは霊園における移転可能な空き納骨室の存在を直ちに知ることができ、納骨室の移転先を速やかに見つけることができるとともに、納骨室を迅速に移転することができる。
【図面の簡単な説明】
【００３１】
【図１】一例として示す納骨室検索システムの構成図。
【図２】各地に存立する寺院または墓所あるいは霊園および寺院または墓所あるいは霊園に設置された立体納骨構造物を示す図。
【図３】立体納骨構造物の一例を示す図。
【図４】納骨室の一例を示す斜視図。
【図５】スマートフォンのタッチパネルに表示された空き納骨室申し込みメニュー画面の一例を示す図。
【図６】スマートフォンのタッチパネルに表示された寺院選択画面の一例を示す図
【図７】スマートフォンのタッチパネルに表示された寺院表示画面の一例を示す図。
【図８】スマートフォンのタッチパネルに表示された立体納骨構造物表示画面の一例を示す図。
【図９】スマートフォンのタッチパネルに表示された空き納骨室表示画面の一例を示す図。
【図１０】スマートフォンのタッチパネルに表示された条件入力画面の一例を示す図。
【図１１】スマートフォンのタッチパネルに表示された条件が合致した寺院を選択する寺院選択画面の他の一例を示す図。
【図１２】スマートフォンのタッチパネルに表示された寺院選択画面の他の一例を示す図。
【図１３】スマートフォンのタッチパネルに表示された空き納骨室表示画面の他の一例を示す図。
【図１４】スマートフォンのタッチパネルに表示された条件入力画面の他の一例を示す図。
【図１５】スマートフォンのタッチパネルに表示された条件が合致した寺院を選択する寺院選択画面の他の一例を示す図。
【発明を実施するための形態】
【００３２】
一例として示す納骨室検索システム１０の構成図である図１等の添付の図面を参照し、本発明に係る納骨室検索システムの詳細を説明すると、以下のとおりである。なお、図２は、各地に存立するそれら寺院１９またはそれら墓所１９あるいはそれら霊園１９およびそれら寺院１９またはそれら墓所１９あるいはそれら霊園１９に設置された立体納骨構造物１６を示す図であり、図３は、立体納骨構造物１６の一例を示す図である。図４は、納骨室１７の一例を示す斜視図である。
【００３３】
図１では、１台のスマートフォン１２（ユーザー端末）、１台のタブレット１３（ユーザー端末）、１台のノート型パソコン１４（ユーザー端末）を図示しているが、実際の納骨室検索システム１０では、インターネット１５（ネットワーク）を介して接続される各種複数のサーバが存在するとともに、インターネット１５を介して各サーバへアクセス可能な各種複数のスマートフォン１２や各種複数のタブレット１３、各種複数のノート型パソコン１４（コンピュータ）が存在する。なお、ユーザー端末には携帯情報端末（ＰＤＡ）や携帯電話も含まれ、さらに、今後開発されるインターネット１５に接続可能なあらゆる通信端末が含まれる。
【００３４】
納骨室検索システム１０は、複数の寺院１９または複数の墓所１９あるいは複数の霊園１９に設置された複数の立体納骨構造物１６を利用して実施される。立体納骨構造物１６（立体納骨墓）を設置したそれら寺院１９またはそれら墓所１９あるいはそれら霊園１９（以下、寺院１９等という）は、全国各地に存在し、その宗派は様々である。宗派としては、例えば、真言宗や天台宗、浄土宗、臨済宗、浄土真宗、曹洞宗、日蓮宗等があるが、宗派に特に限定はない。
【００３５】
納骨室検索システム１０は、管理サーバ１１と、スマートフォン１２やタブレット１３、ノート型パソコン１４とから形成されている。管理サーバ１１は、納骨室検索システム１０を提供（管理運営）するシステム提供者（事業法人）が契約するデータセンター（クラウドを含む）に構築されている。管理サーバ１１がシステム提供者（事業法人）の事業所に構築されていてもよい。
【００３６】
スマートフォン１２（ユーザー端末）やタブレット１３（ユーザー端末）、ノート型パソコン１４（ユーザー端末）は、不特定多数のユーザーが保有している。スマートフォン１２は、それぞれ機種が異なるとともにそれらを提供するキャリア（メーカー）が異なる。タブレット１３やノート型パソコン１４は、それぞれ機種が異なるとともにそれらを提供するメーカーが異なる。
【００３７】
管理サーバ１１やノート型パソコン１４は、中央処理装置（ＣＰＵや仮想ＣＰＵ、ＭＰＵや仮想ＭＰＵ）と記憶装置（メモリや仮想メモリ）と大容量記憶領域（ハードディスクや仮想ハードディスク等）とを備え、物理的なＯＳ（オペレーティングシステム）や仮想ＯＳ（仮想オペレーティングシステム）によって動作する論理的なコンピュータである。管理サーバ１１やノート型パソコン１４には、キーボードやマウス等の入力装置、ディスプレイやプリンタ等の出力装置がインターフェイスを介して接続され、ルーター（物理セキュリティールーターや仮想セキュリティールーター）およびファイアーフォール（物理ファイアーフォールや仮想ファイアーフォール）が接続されている。管理サーバ１１やノート型パソコン１４は、ＤＮＳサーバ機能、データベースサーバ機能、Ｗｅｂサーバ機能、メールサーバ機能、ドキュメントサーバ機能の各種サーバ機能を有し、インターネット１５に接続された各種複数のＤＮＳサーバ等を経由しつつ、インターネット１５を利用してアクセス制限がない他のあらゆるサーバにアクセスすることができる。
【００３８】
スマートフォン１２やタブレット１３は、中央処理部（ＣＰＵまたはＭＰＵ）とメモリ（メインメモリおよびキャッシュメモリ）とを有して独立したオペレーティングシステム（ＯＳ）によって動作する物理的なコンピュータを内蔵し、大容量記憶領域（大容量ハードディスク等）を実装している。スマートフォン１２やタブレット１３、ノート型パソコン１４は、それらのメモリに格納されたウェブブラウザを利用してインターネット１５に接続可能であり、インターネット１５を利用して不特定多数の他のサーバ（物理サーバや仮想サーバ）にアクセスかつログインすることができるとともに、インターネット１５において各種検索エンジンを利用することができる。
【００３９】
スマートフォン１２やタブレット１３、ノート型パソコン１４は、管理サーバ１１のＵＲＬを使用して管理サーバ１１にアクセスかつログインすることができるとともに、インターネット１５を利用して各種情報（文字データや画像データ）を管理サーバ１１を含む他の複数の外部サーバに提供することができ、インターネット１５を利用して各種情報を管理サーバ１１を含む他の複数の外部サーバから受け取ることができる。
【００４０】
スマートフォン１２やタブレット１３、ノート型パソコン１４には、それらを特定する携帯通信端末特定情報が格納されている。携帯通信端末特定情報としては、それらのＩＰアドレスやＭＡＣアドレス、ＵＲＬ、メールアドレス、Ｃｏｏｋｉｅ情報、固体識別番号等を利用することができる他、それらを識別するユニークな識別子を独自に生成し、生成した識別子を携帯通信端末特定情報にすることができる。スマートフォン１２やタブレット１３、ノート型パソコン１４の大容量記憶領域には、それらを使用する権限を有するユーザーの個人情報が格納される。個人情報としては、パスワードやＩＤ番号、ユーザーの氏名または名称（法人名や個人名）、住所または居所、電話番号、ＦＡＸ番号、年齢、性別、メールアドレス等がある。
【００４１】
立体納骨構造物１６（立体納骨墓）は、図３に示すように、八角柱に成形された集合型のお墓（図２に示すように、他の形状の立体納骨構造物１６（立体納骨墓）を含む）であり、上下方向と横方向（周り方向）とへ並ぶ複数の納骨室１７（カロート）を備えている。立体納骨構造物１６に作られたそれら納骨室１７は、図４に示すように、扉１８を開き、納骨室１７に骨壺を納める。納骨室１７に骨壺を納めた後、扉１８を閉め、扉１８の周囲にコーティングを施して扉１８を開閉不能に閉鎖する。納骨済みの納骨室１７の扉１８には、家紋、家名、戒名を表示したプレートが設置される。
【００４２】
管理サーバ１１の大容量記憶領域には、立体納骨構造物１６を設置した各寺院１９等の名称、住所、宗派、沿線情報、その他寺院１９等の紹介情報（寺院１９等の各種画像、寺院１９等のＵＲＬ、寺院１９等の歴史、寺院１９等の住職、寺院１９等の講話、寺院１９等での催し、寺院アクセス（地図）情報等）が寺院１９等を特定する墓地識別子（寺院１９等を特定するユニークな寺院・墓所・霊園識別子）に関連付けられた状態で格納（記憶）されている。管理サーバ１１の大容量記憶領域には、各寺院１９等に設置された立体納骨構造物１６がそれを特定する立体納骨構造物識別子（立体納骨構造物１６を特定するユニークな識別子）（立体納骨構造物特定番号を含む）および墓地識別子に関連付けられた状態で格納（記憶）されている。
【００４３】
管理サーバ１１は、購入（納骨）または移転（納骨）されている納骨済み納骨室１７ａをそれら寺院１９等毎およびそれら立体納骨構造物１６毎に管理するとともに、納骨されていない空き納骨室１７ｂをそれら寺院１９等毎およびそれら立体納骨構造物１６毎に管理する（納骨室管理手段）。管理サーバ１１の大容量記憶領域には、立体納骨構造物１６に作られた納骨室１７のうちの納骨されていない空き納骨室１７ｂがそれを特定する納骨室識別子（空き納骨室１７ｂを特定するユニークな識別子）（未納骨情報、空き納骨室特定番号、空き年月日を含む）、空き納骨室１７ｂが存する立体納骨構造物１６の立体納骨構造物識別子、空き納骨室１７ｂが存する立体納骨構造物１６を設置した寺院１９等の墓地識別子に関連付けられた状態で格納（記憶）されている。管理サーバ１１の大容量記憶領域には、空き納骨室１７ｂの購入金額が納骨室識別子と立体納骨構造物識別子と墓地識別子とに関連付けられた状態で格納（記憶）されている。
【００４４】
管理サーバ１１の大容量記憶領域には、立体納骨構造物１６に作られた納骨室１７のうちの購入（納骨）または移転（納骨）されている納骨済み納骨室１７ａがそれを特定する納骨室識別子（納骨済み納骨室１７ａを特定するユニークな識別子）（納骨済み情報、納骨済み納骨室特定番号、納骨済み年月日を含む）、納骨済み納骨室１７ａが存する立体納骨構造物１６の立体納骨構造物識別子、納骨済み納骨室１７ａが存する立体納骨構造物１６を設置した寺院１９等の墓地識別子に関連付けられた状態で格納（記憶）されている。
【００４５】
納骨室管理手段は、空き納骨室１７ｂが購入（納骨）または空き納骨室１７ｂに移転（納骨）された場合、その空き納骨室１７ｂが納骨済み納骨室１７ａに変わり、未納骨情報を納骨済み情報に書き換えるとともに、購入（納骨）または移転（納骨）された納骨済み納骨室１７ａをそれを特定する納骨室識別子（納骨済み情報、納骨済み納骨室特定番号、納骨済み年月日を含む）と立体納骨構造物識別子と墓地識別子とに関連付けた状態で管理サーバ１１の大容量記憶領域に格納（記憶）する。
【００４６】
納骨室管理手段は、納骨済み納骨室１７ａが空いた場合、その納骨済み納骨室１７ａが空き納骨室１７ｂに変わり、納骨済み情報を未納骨情報に書き換えるとともに、納骨済み納骨室１７ａから変わった空き納骨室１７ｂとその空き納骨室１７ｂの購入金額とを空き納骨室１７ｂを特定する納骨室識別子（未納骨情報、空き納骨室特定番号、空き年月日を含む）と立体納骨構造物識別子と墓地識別子とに関連付けた状態で管理サーバ１１の大容量記憶領域に格納（記憶）する。
【００４７】
納骨室管理手段では、立体納骨構造物１６を未設置の寺院１９等にあらたに立体納骨構造物１６が設置された場合、立体納骨構造物１６が設置された寺院１９等にそれを特定する墓地識別子を付与し、その寺院１９等に設置された立体納骨構造物１６にそれを特定する立体納骨構造物識別子を付与するとともに、その立体納骨構造物１６に作られた各空き納骨室１７ｂにそれを特定する納骨室識別子（未納骨情報、空き納骨室特定番号、空き年月日を含む）を付与する。あらたに設置された立体納骨構造物１６は、立体納骨構造物識別子および墓地識別子に関連付けられた状態で管理サーバ１１の大容量記憶領域に格納（記憶）される。あらたに設置された立体納骨構造物１６に作られた各空き納骨室１７ｂは、立体納骨構造物識別子と墓地識別子と納骨室識別子（未納骨情報、空き納骨室特定番号、空き年月日を含む）とに関連付けられた状態で管理サーバ１１の大容量記憶領域に格納（記憶）される。
【００４８】
図５は、スマートフォン１２のタッチパネル２０に表示された空き納骨室申し込みメニュー画面の一例を示す図であり、図６は、スマートフォン１２のタッチパネル２０に表示された寺院選択画面の一例を示す図である。図７は、スマートフォン１２のタッチパネル２０に表示された寺院表示画面の一例を示す図であり、図８は、スマートフォン１２のタッチパネル２０に表示された立体納骨構造物表示画面の一例を示す図である。図９は、スマートフォン１２のタッチパネル２０に表示された空き納骨室表示画面の一例を示す図である。なお、スマートフォン１２のタッチパネル２０を表示された各画面に基づいて空き納骨室申し込み手順を説明する。また、以下に示すスマートフォン１２のタッチパネル２０に表示された各画面は、管理サーバ１１からスマートフォン１２に送信される。
【００４９】
立体納骨構造物１６の空き納骨室１７ｂを新規に申し込むユーザーは、スマートフォン１２（またはタブレット１３やノート型パソコン１４）を利用し、所定の寺院１９等の所定の立体納骨構造物１６における空き納骨室１７ｂを検索する（空き納骨室検索手段）。ユーザーは、スマートフォン１２（またはタブレット１３やノート型パソコン１４）をインターネット１５に接続し、インターネット１５を経由して納骨室検索システム１０を管理運営するシステム提供者のホームページ（管理サーバ１１のＵＲＬ）にアクセスかつログインする。システム提供者のホームページにログインすると、システム提供者のホームページの初期画面（図示せず）がスマートフォン１２のタッチパネル２０（タッチ液晶画面）に表示される。システム提供者のホームページの初期画面には、システム提供者の業務紹介や各種の情報とともに納骨室申し込みボタンが表示される。
【００５０】
ユーザーがシステム提供者のホームページの初期画面に表示された納骨室申し込みボタンをタップ（クリック）すると、図５に示す空き納骨室申し込みメニュー画面がスマートフォン１２のタッチパネル２０に表示される。図５の空き納骨室申し込みメニュー画面には、空き納骨室表示ボタン５ａ、条件入力ボタン５ｂ、キャンセルボタン５ｃが表示される。キャンセルボタン５ｃをタップすると、システム提供者のホームページの初期画面に戻る（以下のキャンセルボタンも同様）。
【００５１】
ユーザーが空き納骨室表示ボタン５ａをタップすると、空き納骨室表示要求信号がスマートフォン１２から管理サーバ１１に送信される。管理サーバ１１は、スマートフォン１２から空き納骨室表示要求信号を受信すると、空き納骨室１７ｂが存するか否かを検索する。管理サーバ１１は、空き納骨室１７ｂが存する場合、大容量記憶領域からその空き納骨室１７ｂを抽出し、その空き納骨室１７ｂが作られた立体納骨構造物１６を大容量記憶領域から抽出するとともに、空き納骨室１７ｂが作られた立体納骨構造物１６を設置した寺院１９等を大容量記憶領域から抽出する。管理サーバ１１は、抽出した寺院１９等の各種情報、抽出した寺院１９等の抽出した立体納骨構造物１６の各種情報および空き納骨室１７ｂの各種情報をスマートフォン１２に送信する。
【００５２】
スマートフォン１２のタッチパネル２０には、図６に示す寺院選択画面が表示される。図６の寺院選択画面には、複数の寺院表示エリア６ａ〜６ｃ、戻るボタン６ｄ、キャンセルボタン６ｅが表示される。タッチパネル２０をスライドさせることで、寺院表示エリア６ａ〜６ｃがスクロールし、立体納骨構造物１６を設置した多数の他の寺院が連続して表示される。寺院表示エリア６ａ〜６ｃには、寺院画像、寺院の名称、寺院の住所、寺院の宗派が表示される。戻るボタン６ｄをタップすると、１つ前の画面に戻る（以下の戻るボタンも同様）。
【００５３】
図６の寺院選択画面に表示された寺院表示エリア６ａ〜６ｃのうち、ユーザーが希望の寺院表示エリア６ａ〜６ｃをタップすると、図７に示す寺院表示画面がスマートフォン１２のタッチパネル２０に表示される。図７の寺院表示画面には、選択した寺院の寺院画像表示エリア７ａ（寺院名称、寺院住所、寺院宗派を含む）、寺院紹介エリア７ｂ、空き納骨室１７ｂが存する立体納骨構造物１６を表示した立体納骨構造物選択エリア７ｃ、戻るボタン７ｄ、キャンセルボタン７ｅが表示される。寺院紹介エリア７ｂには、その寺院１９等の簡単な紹介メッセージ、寺院１９等のＵＲＬが表示される（図示せず）。寺院紹介エリア７ｂをタップすることで、寺院１９等の歴史や寺院の住職、寺院の講話、寺院での催し、寺院アクセス（地図）情報等のより詳細な紹介画面（図示せず）がスマートフォン１２のタッチパネル２０に表示される。寺院紹介エリア７ｂの寺院１９等のＵＲＬをタップすることで、そのＵＲＬの寺院１９等のホームページがスマートフォン１２のタッチパネル２０に表示される。
【００５４】
立体納骨構造物選択エリア７ｃには、空き納骨室１７ｂが存する立体納骨構造物１６が表示される。立体納骨構造物選択エリア７ｃに表示された特定の立体納骨構造物１６をタップすると、図８に示す空き納骨室選択画面がスマートフォン１２のタッチパネル２０に表示される。図８の空き納骨室選択画面には、寺院画像表示エリア８ａ（寺院名称、寺院住所、寺院宗派を含む）、立体納骨構造物表示エリア８ｂ、戻るボタン８ｃ、キャンセルボタン８ｄが表示される。立体納骨構造物表示エリア８ｂには、図７の寺院表示画面において選択された立体納骨構造物１６が表示され、立体納骨構造物１６において空き納骨室１７ｂが点線で囲まれて表示される。
【００５５】
立体納骨構造物表示エリア８ｂに表示された立体納骨構造物１６の点線で囲まれた領域をタップすることで、空き納骨室１７ｂを選択することができる（空き納骨室検索手段）。点線で囲まれた領域をタップすると、図９に示す空き納骨室表示画面がスマートフォン１２のタッチパネル２０に表示される。図９の空き納骨室表示画面には、図８の空き納骨室選択画面において選択された寺院１９等の寺院画像表示エリア９ａ（寺院名称、寺院住所、寺院宗派を含む）、図８の空き納骨室選択画面において選択された空き納骨室１７ｂを表示した立体納骨構造物表示エリア９ｂ、選択された空き納骨室１７ｂが存する立体納骨構造物１６の特定番号を表示した立体納骨構造物番号表示エリア９ｃ、選択された空き納骨室１７ｂの特定番号を表示した空き納骨室番号表示エリア９ｄ、選択された空き納骨室１７ｂの購入金額を表示した購入金額表示エリア９ｅ、購入ボタン９ｆ、戻るボタン９ｇ、キャンセルボタン９ｈが表示される。ユーザーが図８の空き納骨室表示画面に表示された空き納骨室１７ｂを購入する場合、購入ボタン９ｆをタップする。
【００５６】
ユーザーが購入ボタンタップ９ｆすると、購入信号（墓地識別子、立体納骨構造物１６の特定番号を含む立体納骨構造物識別子、空き納骨室１７ｂの特定番号を含む空き納骨室識別子、購入金額を含む）がスマートフォン１２から管理サーバ１１に送信される。スマートフォン１２から購入信号を受信した管理サーバ１１は、図示はしていないが、購入手続画面をスマートフォン１２のタッチパネル２０に表示させる。購入手続画面において購入ユーザーの各種個人情報や支払い方法等を入力することで、空き納骨室１７ｂの購入手続きが終了する。購入手続きが終了すると、空き納骨室１７ｂを購入したユーザーにＩＤ番号およびパスワードが設定されるとともにユーザーを識別するユーザー識別子（ユーザーを特定するユニークな識別子）が付与される。ユーザーが購入した空き納骨室１７ｂは、空き納骨室１７ｂから納骨済み納骨室１７ａに変わる。
【００５７】
管理サーバ１１は、ユーザーが購入した空き納骨室１７ｂの未納骨情報を納骨済み情報に書き換え、購入（納骨）された納骨済み納骨室１７ａをそれを特定する納骨室識別子（納骨済み情報、納骨済み納骨室特定番号、納骨（購入）済み年月日、購入金額、ＩＤ番号、パスワード、ユーザー識別子を含む）と立体納骨構造物識別子と墓地識別子とに関連付けた状態で大容量記憶領域に格納（記憶）する（納骨室管理手段）。
【００５８】
納骨室検索システム１０は、スマートフォン１２（ユーザー端末）やタブレット１３（ユーザー端末）、ノート型パソコン１４（ユーザー端末）が管理サーバ１１にアクセスかつログインしつつ、スマートフォン１２やタブレット１３、ノート型パソコン１４によって空き納骨室１７ｂを検索することで、空き納骨室１７ｂが存する立体納骨構造物１６を設置した寺院１９等（寺院１９または墓所１９あるいは霊園１９）を検索することができ、その寺院１９等の空き納骨室１７ｂが存する立体納骨構造物１６を検索することができるとともに、その寺院１９等の検索した立体納骨構造物１６における空き納骨室１７ｂを検索することができる。
【００５９】
納骨室検索システム１０は、スマートフォン１２やタブレット１３、ノート型パソコン１４によって所定の寺院１９等の所定の立体納骨構造物１６における空き納骨室１７ｂを検索することで、お墓の移転先を速やかに見つけることができ、お墓を迅速に移転することができるとともに、親や兄弟、配偶者の遺骨を速やかに納骨することができる。納骨室検索システム１０は、スマートフォン１２やタブレット１３、ノート型パソコン１４の空き納骨室検索手段によって家の近くのお墓を速やかに見つけることができ、家の近くにお墓を持つことができるとともに、各種宗派に制限されることなく、適宜かつ適所にお墓を持つことができる。
【００６０】
図１０は、スマートフォン１２のタッチパネル２０に表示された条件入力画面の一例を示す図であり、図１１は、スマートフォン１２のタッチパネル２０に表示された条件が合致した寺院を選択する寺院選択画面の他の一例を示す図である。なお、図１１では、すべての条件（寺院名称、寺院住所、宗派、購入金額、沿線）が入力されたものとする。ユーザーが各種条件を設定し、各条件にあった空き納骨室１７ｂを検索するには、図５の空き納骨室申し込みメニュー画面の条件入力ボタン５ｂをタップする。
【００６１】
条件入力ボタン５ｂをタップすると、図１０に示す条件入力画面がスマートフォン１２のタッチパネル２０に表示される。図１０の条件入力画面には、寺院名称入力エリア１０ａ、寺院住所入力エリア１０ｂ、宗派入力エリア１０ｃ、購入金額入力エリア１０ｄ、沿線入力エリア１０ｅ、選択確定ボタン１０ｆ、戻るボタン１０ｇ、キャンセルボタン１０ｈが表示される。
【００６２】
寺院名称入力エリア１０ａに希望の寺院名称を入力（複数入力可）または寺院名称入力エリア１０ａのプルダウンリストから寺院名称を選択（複数選択可）する。寺院住所入力エリア１０ｂに希望の住所（都道府県入力、都道府県＋区、市入力、都道府県＋区、市＋番地入力等）を入力（複数入力可）または寺院住所入力エリア１０ｂのプルダウンリストから寺院住所を選択（複数選択可）する。宗派入力エリア１０ｃに希望の宗派を入力（複数入力可）または宗派入力エリア１０ｃのプルダウンリストから宗派を選択（複数選択可）する。購入金額入力エリア１０ｄに希望購入金額を入力（所定の金額範囲を入力可）または購入金額入力エリア１０ｄのプルダウンリストから購入金額を選択（複数選択可）する。沿線入力エリア１０ｅに希望の沿線を入力（複数入力可）または沿線入力エリア１０ｅのプルダウンリストから沿線を選択（複数選択可）する。
【００６３】
それら各条件のすべてを入力（選択）することができる他、条件を選択して（絞って）必要な条件のみを入力（選択）することもできる。必要な条件のみを入力（選択）する場合は、不要な条件入力エリアはブランクになる。ユーザーが必要な条件を条件入力エリアに入力（選択）した後、選択確定ボタン１０ｆをタップする。ユーザーが選択確定ボタン１０ｆをタップすると、各条件入力エリアに入力された各種条件情報信号と空き納骨室表示要求信号とがスマートフォン１２から管理サーバ１１に送信される（納骨室移転希望情報送信手段）。
【００６４】
管理サーバ１１は、スマートフォン１２から各種条件情報信号と空き納骨室表示要求信号とを受信すると、指定した名称の寺院１９等、指定した住所の寺院１９等、指定した宗派の寺院１９等に空き納骨室１７ｂが存するか否かを検索し、指定した購入金額で購入可能な空き納骨室１７ｂが存するか否かを検索するとともに、指定した沿線に空き納骨室１７ｂが存する寺院１９等があるか否かを検索する。
【００６５】
管理サーバ１１は、それら条件に合致した空き納骨室１７ｂ（寺院１９等や立体納骨構造物１６）が存する場合、大容量記憶領域からその空き納骨室１７ｂを抽出し、その空き納骨室１７ｂが作られた立体納骨構造物１６を大容量記憶領域から抽出するとともに、空き納骨室１７ｂが作られた立体納骨構造物１６を設置した寺院１９等を大容量記憶領域から抽出する。管理サーバ１１は、抽出した寺院１９等の各種情報、抽出した寺院１９等の抽出した立体納骨構造物１６の各種情報および空き納骨室１７ｂの各種情報をスマートフォン１２に送信する（移転可能空き納骨室情報送信手段）。
【００６６】
スマートフォン１２のタッチパネル２０には、図１１に示す条件が合致した寺院を選択する寺院選択画面が表示される。図１１の寺院選択画面には、寺院名称入力エリア１０ａに入力または寺院名称入力エリア１０ａから選択された選択寺院名称を表示した選択寺院名称表示エリア１１ａ、寺院住所入力エリア１０ｂに入力または寺院住所入力エリア１０ｂから選択された選択寺院住所を表示した選択寺院名称表示エリア１１ｂ、宗派入力エリア１０ｃに入力または宗派入力エリア１０ｃから選択された選択宗派を表示した選択宗派表示エリア１１ｃ、購入金額入力エリア１０ｄに入力または購入金額入力エリア１０ｄから選択された選択購入金額を表示した選択購入金額表示エリア１１ｄ、沿線入力エリア１０ｅに入力または沿線入力エリア１０ｅから選択された選択沿線を表示した選択沿線表示エリア１１ｅ、複数の寺院１９等を表示した寺院表示エリア１１ｆ，１１ｇ、戻るボタン１１ｈ、キャンセルボタン１１ｉが表示される。タッチパネル２０をスライドさせることで、寺院表示エリア１１ｆ，１１ｇがスクロールし、立体納骨構造物１６を設置した多数の他の寺院１９等が連続して表示される。
【００６７】
図１１の寺院選択画面に表示された寺院表示エリア１１ｆ，１１ｇのうち、ユーザーが希望の寺院表示エリア１１ｆ，１１ｇをタップすると、寺院表示画面がスマートフォン１２のタッチパネル２０に表示される（図７援用）。寺院表示画面には、選択した寺院１９等の寺院画像表示エリア７ａ（寺院名称、寺院住所、寺院宗派を含む）、寺院紹介エリア７ｂ、空き納骨室１７ｂが存する立体納骨構造物１６を表示した立体納骨構造物選択エリア７ｃ、戻るボタン７ｄ、キャンセルボタン７ｅが表示される。寺院紹介エリア７ｂには、その寺院１９等の簡単な紹介メッセージ、寺院１９等のＵＲＬが表示される。
【００６８】
立体納骨構造物選択エリア７ｃに表示された特定の立体納骨構造物１６をタップし、空き納骨室選択画面をスマートフォン１２のタッチパネル２０に表示させる（図８援用）。空き納骨室選択画面には、寺院画像表示エリア８ａ（寺院名称、寺院住所、寺院宗派を含む）、立体納骨構造物表示エリア８ｂ、戻るボタン８ｃ、キャンセルボタン８ｄが表示される。立体納骨構造物表示エリア８ｂに表示された立体納骨構造物１６の点線で囲まれた領域をタップすることで、空き納骨室１７ｂを選択する（空き納骨室検索手段）。
【００６９】
点線で囲まれた領域をタップし、空き納骨室表示画面をスマートフォン１２のタッチパネル２０に表示させる（図９援用）。空き納骨室表示画面には、図８の空き納骨室選択画面において選択された寺院１９等の寺院画像表示エリア９ａ（寺院名称、寺院住所、寺院宗派を含む）、空き納骨室選択画面において選択された空き納骨室１７ｂを表示した立体納骨構造物表示エリア９ｂ、選択された空き納骨室１７ｂが存する立体納骨構造物１６の特定番号を表示した立体納骨構造物番号表示エリア９ｃ、選択された空き納骨室１７ｂの特定番号を表示した空き納骨室番号表示エリア９ｄ、選択された空き納骨室１７ｂの購入金額を表示した購入金額表示エリア９ｅ、購入ボタン９ｆ、戻るボタン９ｇ、キャンセルボタン９ｈが表示される。
【００７０】
ユーザーが購入ボタン９ｆをタップすると、購入信号（墓地識別子、立体納骨構造物１６の特定番号を含む立体納骨構造物識別子、空き納骨室１７ｂの特定番号を含む空き納骨室識別子、各種条件、購入金額を含む）がスマートフォン１２から管理サーバ１１に送信される。スマートフォン１２から購入信号を受信した管理サーバ１１は、図示はしていないが、購入手続画面をスマートフォン１２のタッチパネル２０に表示させる。購入手続画面において購入ユーザーの各種個人情報や支払い方法等を入力することで、空き納骨室１７ｂの購入手続きが終了する。購入手続きが終了すると、空き納骨室１７ｂを購入したユーザーにＩＤ番号およびパスワードが設定されるとともにユーザーを識別するユーザー識別子（ユーザーを特定するユニークな識別子）が付与される。ユーザーが購入した空き納骨室１７ｂは、空き納骨室１７ｂから納骨済み納骨室１７ａに変わる。
【００７１】
管理サーバ１１は、ユーザーが購入した条件付きの空き納骨室１７ｂの未納骨情報を納骨済み情報に書き換え、購入（納骨）された納骨済み納骨室１７ａをそれを特定する納骨室識別子（納骨済み情報、納骨済み納骨室特定番号、納骨（購入）済み年月日、購入金額、ＩＤ番号、パスワード、ユーザー識別子、各条件の内容を含む）と立体納骨構造物識別子と墓地識別子とに関連付けた状態で大容量記憶領域に格納（記憶）する（納骨室管理手段）。
【００７２】
納骨室検索システム１０は、スマートフォン１２（ユーザー端末）やタブレット１３（ユーザー端末）、ノート型パソコン１４（ユーザー端末）から寺院１９等の名称、寺院１９等の住所、寺院１９等の宗派、空き納骨室１７ｂの購入金額、沿線のうちの少なくとも１つの条件を入力（選択）することで、入力（選択）した条件（寺院１９等の名称、寺院１９等の住所、寺院１９等の宗派、空き納骨室１７ｂの購入金額、沿線）に合致した空き納骨室１７ｂが存するか否かを検索可能であり、入力（選択）した条件に合致した空き納骨室１７ｂが存するか否かを知ることができる。
【００７３】
納骨室検索システム１０は、それら条件に合致した空き納骨室１７ｂ（入力（選択）した名称の寺院１９等の空き納骨室１７ｂ、入力（選択）した住所の寺院１９等の空き納骨室１７ｂ、入力（選択）した宗派の寺院１９等（寺院１９または墓所１９あるいは霊園１９）の空き納骨室１７ｂ、入力（選択）した購入金額で購入可能な空き納骨室１７ｂ、入力（選択）した沿線の寺院１９等の空き納骨室１７ｂ）が存する場合にそれら条件に合致した寺院１９等の立体納骨構造物１６における空き納骨室１７ｂの場所を知ることができ、その後にその寺院１９等の詳しい内容をその寺院１９等のホームページによって調べることで、その寺院１９等の納骨室１７に納骨するか（空き納骨室１７ｂを購入するか）否かを決めることができる。
【００７４】
図１２は、スマートフォン１２のタッチパネル２０に表示された寺院選択画面の他の一例を示す図であり、図１３は、スマートフォン１２のタッチパネル２０に表示された空き納骨室表示画面の他の一例を示す図である。既に所定の寺院１９等に設置された所定の立体納骨構造物１６（立体納骨墓）における納骨室（納骨済み納骨室１７ａ）に納骨している登録済み（購入済み）ユーザーが所定の原因（転勤や新居の購入によって引っ越しをする場合、気に入った寺院１９等にお墓を移したい場合、宗派を換えたい場合等）によって他所の空き納骨室１７ｂへの移転を希望する場合、ユーザーは、スマートフォン１２（またはタブレット１３やノート型パソコン１４）をインターネット１５に接続し、システム提供者のホームページ（管理サーバ１１のＵＲＬ）にログインする。ユーザーは、システム提供者のホームページの初期画面に表示された納骨室申し込みボタンをタップ（クリック）し、空き納骨室申し込みメニュー画面をスマートフォン１２のタッチパネル２０に表示させる（図５援用）。
【００７５】
ユーザーが空き納骨室表示ボタン５ａをタップすると、空き納骨室表示要求信号（ＩＤ番号、パスワード、ユーザー識別子、納骨済み情報および納骨済み納骨室特定番号を含む納骨室識別子、立体納骨構造物１６の特定番号を含む立体納骨構造物識別子、寺院情報を含む墓地識別子、納骨（購入）済み年月日、購入金額、納骨室移転希望情報）がスマートフォン１２から管理サーバ１１に送信される。
【００７６】
管理サーバ１１は、スマートフォン１２から空き納骨室表示要求信号を受信すると、空き納骨室１７ｂが存するか否かを検索する。管理サーバ１１は、空き納骨室１７ｂが存する場合、大容量記憶領域からその空き納骨室１７ｂを抽出し、その空き納骨室１７ｂが作られた立体納骨構造物１６を大容量記憶領域から抽出するとともに、空き納骨室１７ｂが作られた立体納骨構造物１６を設置した寺院１９等を大容量記憶領域から抽出する。管理サーバ１１は、抽出した寺院１９等の各種情報、抽出した寺院１９等の抽出した立体納骨構造物１６の各種情報および空き納骨室１７ｂの各種情報（移転可能空き納骨室情報）をスマートフォン１２に送信する。スマートフォン１２のタッチパネル２０には、図１２に示す寺院選択画面が表示される。
【００７７】
図１２の寺院選択画面には、納骨（購入）済みの納骨済み納骨室１７ａが作られた立体納骨構造物１６が設置された寺院１９等の寺院画像表示エリア１２ａ（寺院名称、寺院住所、寺院宗派、立体納骨構造物番号、納骨済み納骨室番号、購入金額、購入年月日を含む）、移転可能な複数の寺院表示エリア１２ｂ，１２ｂ，１２ｃ（寺院画像、寺院１９等の名称、寺院１９等の住所、寺院１９等の宗派を含む）、戻るボタン１２ｅ、キャンセルボタン１２ｆが表示される。タッチパネル１２をスライドさせることで、寺院表示エリア１２ｂ，１２ｂ，１２ｃがスクロールし、立体納骨構造物１６を設置した多数の他の寺院が連続して表示される。
【００７８】
図１２の寺院選択画面に表示された寺院表示エリア１２ｂ，１２ｂ，１２ｃのうち、ユーザーが希望の寺院表示エリア１２ｂ，１２ｂ，１２ｃをタップすると、寺院表示画面がスマートフォンのタッチパネルに表示される（図７援用）。寺院表示画面には、選択した寺院の寺院画像表示エリア７ａ（寺院名称、寺院住所、寺院宗派を含む）、寺院紹介エリア７ｂ、空き納骨室１７ｂが存する立体納骨構造物１６を表示した立体納骨構造物選択エリア７ｃ、戻るボタン７ｄ、キャンセルボタン７ｅが表示される。
【００７９】
立体納骨構造物選択エリア７ｃに表示された特定の立体納骨構造物１６をタップし、空き納骨室選択画面をスマートフォン１２のタッチパネル２０に表示させる（図８援用）。空き納骨室選択画面には、寺院画像表示エリア８ａ（寺院名称、寺院住所、寺院宗派を含む）、立体納骨構造物表示エリア８ｂ、戻るボタン８ｃ、キャンセルボタン８ｄが表示される。立体納骨構造物表示エリア８ｂに表示された立体納骨構造物１６の点線で囲まれた領域をタップすることで、空き納骨室１７ｂを選択することができる（空き納骨室検索手段）。点線で囲まれた領域をタップすると、図１３に示す空き納骨室表示画面がスマートフォン１２のタッチパネル２０に表示される。
【００８０】
図１３の空き納骨室表示画面には、納骨（購入）済みの納骨済み納骨室１７ａが作られた立体納骨構造物１６が設置された寺院１９等の寺院画像表示エリア１３ａ（移転前の寺院名称、移転前の寺院住所、移転前の寺院宗派、移転前の立体納骨構造物番号、移転前の納骨済み納骨室番号、購入金額を含む）、図８の空き納骨室選択画面において選択された寺院１９等の寺院画像表示エリア１３ｂ（寺院名称、寺院住所、寺院宗派を含む）、図８の空き納骨室選択画面において選択された空き納骨室１７ｂを表示した立体納骨構造物表示エリア１３ｃ、選択された空き納骨室１７ｂが存する立体納骨構造物１６の特定番号を表示した立体納骨構造物番号表示エリア１３ｄ、選択された空き納骨室１７ｂの特定番号を表示した空き納骨室番号表示エリア１３ｅ、移転ボタン１３ｆ、戻るボタン１３ｇ、キャンセルボタン１３ｈが表示される。ユーザーが図１３の空き納骨室表示画面に表示された空き納骨室１７ｂに移転する場合、移転ボタン１３ｆをタップする。
【００８１】
ユーザーが移転ボタン１３ｆをタップすると、移転信号（移転前の寺院名称および寺院住所並びに寺院宗派を含む墓地識別子、移転前の立体納骨構造物番号を含む立体納骨構造物識別子、移転前の納骨済み納骨室番号を含む納骨室識別子、移転前の納骨済み納骨室の購入金額、移転先の墓地識別子、移転先の立体納骨構造物１６の特定番号を含む立体納骨構造物識別子、移転先の空き納骨室１７ｂの特定番号を含む空き納骨室識別子を含む）がスマートフォン１２から管理サーバ１１に送信される。
【００８２】
スマートフォン１２から移転信号を受信した管理サーバ１１は、図示はしていないが、移転手続画面をスマートフォン１２のタッチパネル２０に表示させる。移転手続画面において登録済み（購入済み）ユーザーのＩＤ番号やパスワード、移転日時、移転費用の支払い方法等を入力することで、納骨済み納骨室１７ａの移転手続きが終了する。なお、移転した後にさらに他所の空き納骨室１７ｂへ移転することができる。また、新規に空き納骨室１７ｂを購入する場合と異なり、購入金額はかからず、移転費用のみで移転することができる。移転手続きが終了すると、ユーザーの納骨済み納骨室１７ａが空き納骨室１７ｂに変わり、ユーザーが移転する先の空き納骨室１７ｂが納骨（移転）済み納骨室１７ａに変わる。
【００８３】
管理サーバ１１は、移転した空き納骨室１７ｂの未納骨情報を納骨済み情報に書き換え、移転元の納骨済み納骨室１７ａの納骨済み情報を未納骨情報に書き換え、移転（納骨）した納骨済み納骨室１７ａをそれを特定する納骨室識別子（納骨済み情報、納骨済み納骨室特定番号、納骨（移転）済み年月日、ＩＤ番号、パスワード、ユーザー識別子を含む）と立体納骨構造物識別子と墓地識別子とに関連付けた状態で大容量記憶領域に格納（記憶）する（納骨室管理手段）。
【００８４】
納骨室検索システム１０は、既に所定の寺院１９等の立体納骨構造物１６の納骨室（納骨済み納骨室１７ａ）に納骨しているユーザーが所定の原因（転勤や新居の購入によって引っ越しをする場合、気に入った寺院１９等にお墓を写したい場合、宗派を換えたい場合等）によって他所の空き納骨室１７ｂへの移転を希望する場合、スマートフォン１２（ユーザー端末）やタブレット１３（ユーザー端末）、ノート型パソコン１４（ユーザー端末）が納骨室移転希望情報を管理サーバ１１に送信し、管理サーバ１１が所定の寺院１９等の所定の立体納骨構造物１６における移転可能な空き納骨室１７ｂの移転可能空き納骨室情報をスマートフォン１１やタブレット１２、ノート型パソコン１３に送信するから、移転希望のユーザーは移転可能空き納骨室情報を見ることで、ユーザーが移転可能な空き納骨室１７ｂの存在を直ちに知ることができる。
【００８５】
納骨室検索システム１０は、スマートフォン１２やタブレット１３、ノート型パソコン１４によって所定の寺院１９等（寺院１９または墓所１９あるいは霊園１９）の所定の立体納骨構造物１６における移転可能な空き納骨室１７ｂを知ることができるから、納骨室１７（納骨済み納骨室１７ａ）の移転先（空き納骨室１７ｂ）を速やかに見つけることができ、納骨室１７を迅速に移転することができるとともに、その後にその寺院１９等の詳しい内容をその寺院１９等のホームページによって調べることで、その寺院１９等の納骨室１７に納骨するか（空き納骨室１７ｂに移転するか）否かを決めることができる。
【００８６】
図１４は、スマートフォン１２のタッチパネル２０に表示された条件入力画面の他の一例を示す図であり、図１５は、スマートフォン１２のタッチパネル２０に表示された条件が合致した寺院１９等を選択する寺院選択画面の他の一例を示す図である。なお、図１４では、すべての条件（寺院名称、寺院住所、宗派、沿線）が入力されたものとする。
【００８７】
既に所定の寺院１９等に設置された所定の立体納骨構造物１６（立体納骨墓）における納骨室（納骨済み納骨室１７ａ）に納骨している登録済み（購入済み）ユーザーが所定の原因（転勤や新居の購入によって引っ越しをする場合、気に入った寺院１９等にお墓を写したい場合、宗派を換えたい場合等）によって他所の空き納骨室１７ｂへの移転を希望する場合であって、そのユーザーが各種条件を設定し、各条件にあった空き納骨室１７ｂを検索するには、スマートフォン１２（またはタブレット１３やノート型パソコン１４）をインターネット１５に接続し、システム提供者のホームページ（管理サーバ１１のＵＲＬ）にログインする。ユーザーは、システム提供者のホームページの初期画面に表示された納骨室申し込みボタンをタップ（クリック）し、空き納骨室申し込みメニュー画面をスマートフォン１２のタッチパネル２０に表示させる（図５援用）。
【００８８】
ユーザーは、図５の空き納骨室申し込みメニュー画面の条件入力ボタン５ｂをタップする。条件入力ボタン５ｂをタップすると、図１４に示す条件入力画面がスマートフォン１２のタッチパネル２０に表示される。図１４の条件入力画面には、納骨（購入）済みの納骨済み納骨室１７ａが作られた立体納骨構造物１６が設置された寺院１９等の寺院画像表示エリア１４ａ（寺院名称、寺院住所、寺院宗派、立体納骨構造物番号、納骨済み納骨室番号、購入金額、購入年月日を含む）、寺院名称入力エリア１４ｂ、寺院住所入力エリア１４ｃ、宗派入力エリア１４ｄ、沿線入力エリア１４ｅ、選択確定ボタン１４ｆ、戻るボタン１４ｇ、キャンセルボタン１４ｈが表示される。
【００８９】
寺院名称入力エリア１４ｂに希望の寺院名称を入力（複数入力可）または寺院名称入力エリア１４ｂのプルダウンリストから寺院名称を選択（複数選択可）する。寺院住所入力エリア１４ｃに希望の住所（都道府県入力、都道府県＋区、市入力、都道府県＋区、市＋番地入力等）を入力（複数入力可）または寺院住所入力エリア１４ｃのプルダウンリストから寺院住所を選択（複数選択可）する。宗派入力エリア１４ｄに希望の宗派を入力（複数入力可）または宗派入力エリア１４ｄのプルダウンリストから宗派を選択（複数選択可）する。沿線入力エリア１４ｅに希望の沿線を入力（複数入力可）または沿線入力エリア１４ｅのプルダウンリストから沿線を選択（複数選択可）する。
【００９０】
それら各条件のすべてを入力（選択）することができる他、条件を選択して（絞って）必要な条件のみを入力（選択）することもできる。必要な条件のみを入力（選択）する場合は、不要な条件入力エリアはブランクになる。ユーザーが必要な条件を条件入力エリア１４ｂ〜１４ｅに入力（選択）した後、選択確定ボタン１４ｆをタップする。ユーザーが選択確定ボタン１４ｆをタップすると、各条件入力エリア１４ｂ〜１４ｅに入力された各種条件情報信号と空き納骨室表示要求信号（ＩＤ番号、パスワード、ユーザー識別子、納骨済み情報および納骨済み納骨室特定番号を含む納骨室識別子、立体納骨構造物の特定番号を含む立体納骨構造物識別子、寺院情報を含む墓地識別子、納骨（購入）済み年月日、納骨室移転希望情報）とがスマートフォン１２から管理サーバ１１に送信される（納骨室移転希望情報送信手段）。
【００９１】
管理サーバ１１は、スマートフォン１２から各種条件情報信号と空き納骨室表示要求信号とを受信すると、指定した名称の寺院１９等、指定した住所の寺院１９等、指定した宗派の寺院１９等に空き納骨室１７ｂが存するか否かを検索し、指定した沿線に空き納骨室１７ｂが存する寺院１９等があるか否かを検索する。管理サーバ１１は、それら条件に合致した空き納骨室１７ｂ（寺院１９等や立体納骨構造物１６）が存する場合、大容量記憶領域からその空き納骨室１７ｂを抽出し、その空き納骨室１７ｂが作られた立体納骨構造物１６を大容量記憶領域から抽出するとともに、空き納骨室１７ｂが作られた立体納骨構造物１６を設置した寺院１９等を大容量記憶領域から抽出する。管理サーバ１１は、抽出した寺院１９等の各種情報、抽出した寺院１９等の抽出した立体納骨構造物１６の各種情報および空き納骨室１７ｂの各種情報（移転可能空き納骨室情報）をスマートフォン１２に送信する（移転可能空き納骨室情報送信手段）。スマートフォン１２のタッチパネル２０には、図１５に示す寺院選択画面が表示される。
【００９２】
図１５の寺院選択画面には、納骨（購入）済みの納骨済み納骨室１７ａが作られた立体納骨構造物１６が設置された寺院１９等の寺院画像表示エリア１５ａ（寺院名称、寺院住所、寺院宗派、立体納骨構造物番号、納骨済み納骨室番号、購入金額、購入年月日を含む）、寺院名称入力エリア１４ａに入力または寺院名称入力エリア１４ａから選択された選択寺院名称を表示した選択寺院名称表示エリア１５ｂ、寺院住所入力エリア１４ｃに入力または寺院住所入力エリア１４ｃから選択された選択寺院住所を表示した選択寺院名称表示エリア１５ｃ、宗派入力エリア１４ｄに入力または宗派入力エリア１４ｄから選択された選択宗派を表示した選択宗派表示エリア１５ｄ、沿線入力エリア１４ｅに入力または沿線入力エリア１４ｅから選択された選択沿線を表示した選択沿線表示エリア１５ｅ、移転可能な複数の寺院表示エリア１５ｆ，１５ｇ（寺院画像、寺院１９等の名称、寺院１９等の住所、寺院１９等の宗派を含む）、戻るボタン１５ｈ、キャンセルボタン１５ｉが表示される。タッチパネル１２をスライドさせることで、寺院表示エリア１５ｆ，１５ｇがスクロールし、立体納骨構造物１６を設置した多数の他の寺院１９等が連続して表示される。
【００９３】
図１５の寺院選択画面に表示された寺院表示エリア１５ｆ，１５ｇのうち、ユーザーが希望の寺院表示エリア１５ｆ，１５ｇをタップすると、寺院表示画面がスマートフォンのタッチパネルに表示される（図７援用）。寺院表示画面には、選択した寺院の寺院画像表示エリア７ａ（寺院名称、寺院住所、寺院宗派を含む）、寺院紹介エリア７ｂ、空き納骨室１７ｂが存する立体納骨構造物１６を表示した立体納骨構造物選択エリア７ｃ、戻るボタン７ｄ、キャンセルボタン７ｅが表示される。寺院紹介エリア７ｂには、その寺院１９等の簡単な紹介メッセージ、寺院１９等のＵＲＬが表示される。
【００９４】
立体納骨構造物選択エリア７ｃに表示された特定の立体納骨構造物１６をタップし、空き納骨室選択画面をスマートフォン１２のタッチパネル２０に表示させる（図８援用）。空き納骨室選択画面には、寺院画像表示エリア８ａ（寺院名称、寺院住所、寺院宗派を含む）、立体納骨構造物表示エリア８ｂ、戻るボタン８ｃ、キャンセルボタン８ｄが表示される。立体納骨構造物表示エリア８ｂに表示された立体納骨構造物１６の点線で囲まれた領域をタップすることで、空き納骨室１７ｂを選択することができる（空き納骨室検索手段）。点線で囲まれた領域をタップすると、図１３に示す空き納骨室表示画面がスマートフォン１２のタッチパネル２０に表示される（図１３援用）。
【００９５】
空き納骨室表示画面には、納骨（購入）済みの納骨済み納骨室１７ａが作られた立体納骨構造物１６が設置された寺院１９等の寺院画像表示エリア１３ａ（移転前の寺院名称、移転前の寺院住所、移転前の寺院宗派、移転前の立体納骨構造物番号、移転前の納骨済み納骨室番号、購入金額を含む）、図８の空き納骨室選択画面において選択された寺院１９等の寺院画像表示エリア１３ｂ（寺院名称、寺院住所、寺院宗派を含む）、図８の空き納骨室選択画面において選択された空き納骨室１７ｂを表示した立体納骨構造物表示エリア１３ｃ、選択された空き納骨室１７ｂが存する立体納骨構造物１６の特定番号を表示した立体納骨構造物番号表示エリア１３ｄ、選択された空き納骨室１７ｂの特定番号を表示した空き納骨室番号表示エリア１３ｅ、移転ボタン１３ｆ、戻るボタン１３ｇ、キャンセルボタン１３ｈが表示される。ユーザーが図１３の空き納骨室表示画面に表示された空き納骨室１７ｂに移転する場合、移転ボタン１３ｆをタップする。
【００９６】
ユーザーが移転ボタン１３ｆをタップすると、移転信号（移転前の寺院名称および寺院住所並びに寺院宗派を含む墓地識別子、移転前の立体納骨構造物番号を含む立体納骨構造物識別子、移転前の納骨済み納骨室番号を含む納骨室識別子、移転前の納骨済み納骨室の購入金額、移転先の墓地識別子、移転先の立体納骨構造物１６の特定番号を含む立体納骨構造物識別子、移転先の空き納骨室１７ｂの特定番号を含む空き納骨室識別子を含む）がスマートフォン１２から管理サーバ１１に送信される。
【００９７】
スマートフォン１２から移転信号を受信した管理サーバ１１は、図示はしていないが、移転手続画面をスマートフォン１２のタッチパネル２０に表示させる。移転手続画面において登録済み（購入済み）ユーザーのＩＤ番号やパスワード、移転日時、移転費用の支払い方法等を入力することで、納骨済み納骨室１７ａの移転手続きが終了する。なお、移転した後にさらに他所の空き納骨室１７ｂへ移転することができる。また、新規に空き納骨室１７ｂを購入する場合と異なり、購入金額はかからず、移転費用のみで移転することができる。移転手続きが終了すると、ユーザーの納骨済み納骨室１７ａが空き納骨室１７ｂに変わり、ユーザーが移転する先の空き納骨室１７ｂが納骨（移転）済み納骨室１７ａに変わる。
【００９８】
管理サーバ１１は、移転した空き納骨室１７ｂの未納骨情報を納骨済み情報に書き換え、移転元の納骨済み納骨室１７ａの納骨済み情報を未納骨情報に書き換え、移転（納骨）した納骨済み納骨室１７ａをそれを特定する納骨室識別子（納骨済み情報、納骨済み納骨室特定番号、納骨（移転）済み年月日、ＩＤ番号、パスワード、ユーザー識別子を含む）と立体納骨構造物識別子と墓地識別子とに関連付けた状態で大容量記憶領域に格納（記憶）する（納骨室管理手段）。
【００９９】
納骨室検索システム１０は、既に所定の寺院１９等の立体納骨構造物１６の納骨室（納骨済み納骨室１７ａ）に納骨しているユーザーが所定の原因（転勤や新居の購入によって引っ越しをする場合、気に入った寺院１９等にお墓を写したい場合、宗派を換えたい場合等）によって他所の空き納骨室１７ｂへの移転を希望する場合であって所定の条件に合致した空き納骨室１７ｂへの移転を希望する場合、スマートフォン１２（ユーザー端末）やタブレット１３（ユーザー端末）、ノート型パソコン１４（ユーザー端末）から寺院１９等の名称、寺院１９等の住所、寺院１９等の宗派、沿線のうちの少なくとも１つの条件を入力（選択）することで、入力（選択）した条件（寺院１９等の名称、寺院１９等の住所、寺院１９等の宗派、沿線）に合致した空き納骨室１７ｂが存するか否かを検索可能であり、入力（選択）した条件に合致した空き納骨室１７ｂが存するか否かを直ちに知ることができる。
【０１００】
納骨室検索システム１０は、スマートフォン１２やタブレット１３、ノート型パソコン１４によって各種の条件に合致しつつ移転可能な空き納骨室１７ｂ（入力（選択）した名称の寺院１９等（寺院１９または墓所１９あるいは霊園１９）の空き納骨室１７ｂ、入力（選択）した住所の寺院１９等の空き納骨室１７ｂ、入力（選択）した宗派の寺院１９等の空き納骨室１７ｂ、入力（選択）した沿線の寺院１９等の空き納骨室１７ｂ）を知ることができるから、納骨室１７（納骨済み納骨室１７ａ）の移転先（空き納骨室１７ｂ）を速やかに見つけることができ、納骨室１７を迅速に移転することができるとともに、その後にその寺院１９等の詳しい内容をその寺院１９等のホームページによって調べることで、その寺院１９等の納骨室１７に納骨するか（空き納骨室１７ｂに移転するか）否かを決めることができる。
【符号の説明】
【０１０１】
１０    納骨室検索システム
１１    管理サーバ
１２    スマートフォン
１３    タブレット
１４    ノート型パソコン
１５    インターネット
１６    立体納骨構造物
１７    納骨室
１７ａ  納骨済み納骨室
１７ｂ  空き納骨室
１８    扉
１９    寺院、墓所、霊園
２０    タッチパネル
【図１】
2019191996.tif 000003
【図２】
2019191996.tif 000004
【図３】
2019191996.tif 000005
【図４】
2019191996.tif 000006
【図５】
2019191996.tif 000007
【図６】
2019191996.tif 000008
【図７】
2019191996.tif 000009
【図８】
2019191996.tif 000010
【図９】
2019191996.tif 000011
【図１０】
2019191996.tif 000012
【図１１】
2019191996.tif 000013
【図１２】
2019191996.tif 000014
【図１３】
2019191996.tif 000015
【図１４】
2019191996.tif 000016
【図１５】
2019191996.tif 000017